(57)【要約】【課題】テレビジョン放送の番組予約を取り消す際に、一括して取り消せるようにする。【解決手段】予約編集画面をＯＳＤ表示し（ステップＳ１）、ユーザに編集方法の選択を促す（ステップＳ２）。次に、ジャンル情報または日時情報に基づいて番組予約を抽出して消去候補を選定する（ステップＳ５、Ｓ１０）。次いで、この消去候補を消去内容確認画面にＯＳＤ表示し（ステップＳ６、Ｓ１１）、ユーザに消去候補を取り消すか否かの決定を促す（ステップＳ７、Ｓ１２）。最後に、この消去候補を一括消去する（ステップＳ８）。これにより、取り消したい番組予約の件数が多くても、ユーザの操作が煩わしくならず、ユーザビリティーが向上する。【選択図】図３
2007306118.tif 000002
【特許請求の範囲】
【請求項１】
番組予約を取り消す予約取消方法であって、
前記番組予約を抽出して消去候補を選定する候補選定工程と、
この消去候補を一括消去する候補消去工程と
が含まれることを特徴とする予約取消方法。
【請求項２】
前記候補選定工程において、
前記番組予約は、ジャンル情報または日時情報に基づいて抽出されることを特徴とする請求項１に記載の予約取消方法。
【請求項３】
前記消去候補を一括消去する前に、当該消去候補を示す消去内容確認画面が表示され、１つ以上の番組予約が前記消去候補から外されることを特徴とする請求項１または２に記載の予約取消方法。
【請求項４】
番組予約を取り消す予約取消装置であって、
前記番組予約を抽出して消去候補を選定する予約選定手段と、
この消去候補を一括消去する予約消去手段と
が設けられていることを特徴とする予約取消装置。
【請求項５】
前記予約選定手段は、ジャンル情報または日時情報に基づいて前記番組予約を抽出することを特徴とする請求項４に記載の予約取消装置。
【請求項６】
前記予約消去手段は、前記消去候補を一括消去する前に、当該消去候補を示す消去内容確認画面を表示し、１つ以上の番組予約を前記消去候補から外すことを特徴とする請求項４または５に記載の予約取消装置。
【請求項７】
請求項４乃至６のいずれかに記載の予約取消装置を備えていることを特徴とするテレビジョン受像機。
【発明の詳細な説明】
【技術分野】
【０００１】
本発明は、テレビジョン放送の番組予約を取り消す際に適用するに好適な、予約取消方法、予約取消装置、テレビジョン受像機に関するものである。なお、本発明において、番組予約は、テレビ番組の予約のみならず、インターネット経由で提供される動画・音声・テキストその他のコンテンツの予約などをも含む概念である。
【背景技術】
【０００２】
図１３は従来の予約取消方法におけるスタートメニュー（メインメニュー）画面を示す図、図１４は従来の予約取消方法におけるスタートメニュー（サブメニュー）画面を示す図、図１５は従来の予約取消方法における予約リスト画面の第１例を示す図、図１６は従来の予約取消方法における予約変更画面を示す図、図１７は従来の予約取消方法における予約消去確認画面を示す図、図１８は従来の予約取消方法における予約リスト画面の第２例を示す図である。
【０００３】
従来、テレビジョン受像機において、番組予約（視聴予約・録画予約）を取り消す場合には、予約リストにおいて番組予約を１件ずつ取り消していた（例えば、特許文献１参照）。
【０００４】
すなわち、スタートメニューで、図１３に示すように、「予約／予約確認」を選択し、さらに、図１４に示すように、「予約リスト」を選択する。すると、図１５に示すように、予約リストが表示されるので、この中から取り消したい番組予約（例えば、『アニメＡ』）を選択する。すると、図１６に示すように、この番組予約の内容が表示されるので、「取り消す」を選択する。すると、図１７に示すように、消去内容確認画面が表示されるので、「する」を選択する。その結果、図１８に示すように、この番組が取り消された予約リストが表示される。続けて、別の番組予約（例えば、『ニュース』）を取り消すには、同様の手順により、この番組を選択して取り消す。さらに、別の番組予約（例えば、『アニメＢ』）を取り消すには、同様の手順により、この番組を選択して取り消す。
【特許文献１】特開２００５−１７６４０６号公報（段落〔０２２１〕の欄）
【発明の開示】
【発明が解決しようとする課題】
【０００５】
しかし、これでは、番組予約を１件ずつ取り消さなければならないので、取り消したい番組予約の件数が多い場合には、ユーザ（視聴者）の操作が煩わしくなり、ユーザビリティーが低下するという課題があった。
【０００６】
本発明は、こうした課題を解決することが可能な、予約取消方法、予約取消装置、テレビジョン受像機を提供することを目的とする。
【課題を解決するための手段】
【０００７】
本発明では、番組予約を取り消す予約取消方法であって、前記番組予約を抽出して消去候補を選定する候補選定工程と、この消去候補を一括消去する候補消去工程とが含まれることを特徴とする。
また、本発明では、前記候補選定工程において、前記番組予約は、ジャンル情報または日時情報に基づいて抽出されることを特徴とする。
また、本発明では、前記消去候補を一括消去する前に、当該消去候補を示す消去内容確認画面が表示され、１つ以上の番組予約が前記消去候補から外されることを特徴とする。
また、本発明では、番組予約を取り消す予約取消装置であって、前記番組予約を抽出して消去候補を選定する予約選定手段と、この消去候補を一括消去する予約消去手段とが設けられていることを特徴とする。
また、本発明では、前記予約選定手段は、ジャンル情報または日時情報に基づいて前記番組予約を抽出することを特徴とする。
また、本発明では、前記予約消去手段は、前記消去候補を一括消去する前に、当該消去候補を示す消去内容確認画面を表示し、１つ以上の番組予約を前記消去候補から外すことを特徴とする。
また、本発明では、請求項４乃至６のいずれかに記載の予約取消装置を備えていることを特徴とする。
【発明の効果】
【０００８】
本発明によれば、番組予約を抽出して消去候補を選定し、この消去候補を一括消去することから、ユーザが取り消したい番組予約を一括して取り消すことができる。したがって、取り消したい番組予約の件数が多くても、ユーザの操作が煩わしくなる事態を防ぐことが可能となり、ユーザビリティーが向上する。
【０００９】
また、消去候補を一括消去する前に消去内容確認画面を表示すると、残すべき番組予約がユーザの不注意でうっかり取り消されてしまう不都合を回避することができる。
【発明を実施するための最良の形態】
【００１０】
以下、本発明の実施形態を図面に基づいて説明する。
【００１１】
図１は本発明に係るテレビジョン受像機の一実施形態を示すブロック図、図２は図１に示すリモコンの正面図、図３は予約消去プログラムを示すフローチャート、図４は本発明に係る予約取消方法におけるスタートメニュー（メインメニュー）画面を示す図、図５は本発明に係る予約取消方法におけるスタートメニュー（サブメニュー）画面を示す図、図６は本発明に係る予約取消方法における予約編集画面の第１例を示す図、図７は本発明に係る予約取消方法におけるジャンル指定消去画面を示す図、図８は本発明に係る予約取消方法におけるジャンル指定消去確認画面の一例を示す図、図９は本発明に係る予約取消方法における予約編集画面の第２例を示す図、図１０は本発明に係る予約取消方法における日時指定消去画面を示す図、図１１は本発明に係る予約取消方法における日時指定消去確認画面を示す図、図１２は本発明に係る予約取消方法におけるジャンル指定消去確認画面の別の例を示す図である。
【００１２】
デジタルテレビジョン放送用のテレビジョン受像機１は、図１に示すように、受像機本体２と、テレビジョン放送局からの放送信号を受信するアンテナ５と、受像機本体２を遠隔操作するリモコン（リモートコントローラ）３とを具備している。そして、受像機本体２は、予約取消装置４、チューナ６、デマルチプレクサ７、デコーダ８、ＯＳＤ（On Screen Display）コントローラ１１、スピーカ１２、ディスプレイ１３から構成されている。さらに、予約取消装置４は、ＣＰＵ（中央演算処理装置）１０、情報保持部９から構成されている。
【００１３】
ここで、チューナ６は、特定チャンネルの映像・音声信号および番組付加情報をアンテナ５経由で受信し、デマルチプレクサ７に出力する機能を備えている。また、デマルチプレクサ７は、映像・音声信号および番組付加情報を分離した後、映像・音声信号をデコーダ８に出力するとともに、番組付加情報をＣＰＵ１０に出力する機能を備えている。また、デコーダ８は、符号化されている映像・音声信号をもとの形に変換（復号）した後、映像信号をディスプレイ１３に出力するとともに、音声信号をスピーカ１２に出力する機能を備えている。また、情報保持部９には、現在すでに番組予約（視聴予約・録画予約）している番組の番組予約情報（ジャンル情報、日時情報、チャンネル情報、出演者情報、録画レート情報など）が保持されている。また、ＣＰＵ１０は、リモコン３から送信された信号に基づいてデマルチプレクサ７およびＯＳＤコントローラ１１を制御する機能を備えている。さらに、ＯＳＤコントローラ１１は、スタートメニュー画面など各種の画面をディスプレイ１３上にＯＳＤ表示する機能を備えている。
【００１４】
また、リモコン３は、図２に示すように、「１」〜「１２」の１２個の数字ボタン３０、決定ボタン３１、上下左右に向いた４個のカーソルボタン（矢印ボタン）３２、メニューボタン３３を備えている。
【００１５】
テレビジョン受像機１は以上のような構成を有するので、このテレビジョン受像機１において、番組予約（視聴予約・録画予約）を取り消す場合、ユーザ（視聴者）は、リモコン３のメニューボタン３３を押す。
【００１６】
すると、ＣＰＵ１０は、ＯＳＤコントローラ１１に対して、スタートメニュー画面の表示を指令する。これを受けてＯＳＤコントローラ１１は、図４に示すように、ディスプレイ１３上にスタートメニューのメインメニュー画面をＯＳＤ表示して、ユーザに希望メニューの選択を促す。このとき、メインメニューには、図４に示すように、「録画リスト」「編集／消去」「ダビング」「放送視聴／外部機器」「予約／予約確認」「初期化／ファイナライズ」「各種設定」「お知らせ」などの項目が表示される。
【００１７】
これを見てユーザは、リモコン３のカーソルボタン３２を押して「予約／予約確認」メニューを選択し、リモコン３の決定ボタン３１を押す。すると、図５に示すように、メインメニュー画面からサブメニュー画面に切り替わり、サブメニューに「番組表予約」「かんたん録画予約」「Ｇコード予約」「日時指定予約」「お好み番組予約」「予約編集」などの項目が表示される。さらに、ユーザは、リモコン３のカーソルボタン３２を押して「予約編集」メニューを選択し、リモコン３の決定ボタン３１を押す。
【００１８】
すると、ＣＰＵ１０は、以下に述べるとおり、図３に示す予約消去プログラムＰＲＧに基づいて番組予約消去処理を実行する。
【００１９】
まず、ＣＰＵ１０は、ＯＳＤコントローラ１１に対して、予約編集画面の表示を指令する。これを受けてＯＳＤコントローラ１１は、図６に示すように、ディスプレイ１３上に予約編集画面をＯＳＤ表示し（予約消去プログラムＰＲＧのステップＳ１）、ユーザに編集方法の選択を促す（予約消去プログラムＰＲＧのステップＳ２）。このとき、編集方法としては、図６に示すように、「予約リスト」「予約全消去」「ジャンル指定消去」「日時指定消去」が表示される。
【００２０】
これを見てユーザは、所望の予約抽出方法に応じて、いずれかの編集方法を予約編集画面で選択する。すなわち、ジャンルを指定して番組予約を一括して取り消したい場合には、リモコン３のカーソルボタン３２を押して「ジャンル指定消去」を選択し、リモコン３の決定ボタン３１を押す。また、日時を指定して番組予約を一括して取り消したい場合には、リモコン３のカーソルボタン３２を押して「日時指定消去」を選択し、リモコン３の決定ボタン３１を押す。なお、番組予約を１件ずつ取り消したい場合には、リモコン３のカーソルボタン３２を押して「予約リスト」を選択し、リモコン３の決定ボタン３１を押す。また、すべての番組予約を取り消したい場合には、リモコン３のカーソルボタン３２を押して「予約全消去」を選択し、リモコン３の決定ボタン３１を押す。
【００２１】
そして、図６に示すように、予約編集画面で「ジャンル指定消去」が選択された場合、ＣＰＵ１０は、ＯＳＤコントローラ１１に対して、ジャンル選択画面の表示を指令する。これを受けてＯＳＤコントローラ１１は、図７に示すように、ディスプレイ１３上にジャンル選択画面をＯＳＤ表示して、ユーザに消去ジャンルの選択を促す（予約消去プログラムＰＲＧのステップＳ３）。このとき、ジャンルとしては、図７に示すように、「ニュース」「映画」「スポーツ」「アニメ」「情報」「教養」「ドラマ」「講演」「音楽」「教育」「バラエティー」「福祉」が表示される。
【００２２】
これを見てユーザは、リモコン３のカーソルボタン３２を押して所望のジャンル（例えば、「アニメ」および「バラエティー」）を１つ以上選択し、リモコン３の決定ボタン３１を押す。
【００２３】
すると、ＣＰＵ１０は、各番組予約のジャンル情報を情報保持部９から読み出して取得し（予約消去プログラムＰＲＧのステップＳ４）、このジャンル情報に基づき、ユーザが選択したジャンル（例えば、「アニメ」および「バラエティー」）に属する番組予約を抽出して消去候補を選定する（予約消去プログラムＰＲＧのステップＳ５）。次に、ＣＰＵ１０は、ＯＳＤコントローラ１１に対して、消去内容確認画面の表示を指令する。これを受けてＯＳＤコントローラ１１は、図８に示すように、ディスプレイ１３上に消去内容確認画面をＯＳＤ表示し（予約消去プログラムＰＲＧのステップＳ６）、ユーザに消去候補を取り消すか否かの決定を促す（予約消去プログラムＰＲＧのステップＳ７）。このとき、ディスプレイ１３上の消去内容確認画面には、消去候補（例えば、『アニメＡ』、『アニメＢ』、『バラエティーＡ』）のほか、「する」「しない」の２つの選択肢が表示される。
【００２４】
そして、消去候補を取り消す場合、ユーザは、リモコン３のカーソルボタン３２を押して「する」を選択し、リモコン３の決定ボタン３１を押す。すると、ＣＰＵ１０は、消去候補を一括消去する動作を実行する（予約消去プログラムＰＲＧのステップＳ８）。そのため、消去候補は、その件数の多寡とは無関係に一括して取り消される結果となる。ここで、予約消去プログラムＰＲＧに基づく番組予約消去処理が終了する。
【００２５】
一方、消去候補を取り消さない場合、ユーザは、リモコン３のカーソルボタン３２を押して「しない」を選択し、リモコン３の決定ボタン３１を押す。すると、ＣＰＵ１０は、消去候補に列挙された番組予約を消去せずに残す。ここで、予約消去プログラムＰＲＧに基づく番組予約消去処理が終了する。
【００２６】
また、図９に示すように、予約編集画面で「日時指定消去」が選択された場合、ＣＰＵ１０は、ＯＳＤコントローラ１１に対して、日時指定画面の表示を指令する。これを受けてＯＳＤコントローラ１１は、図１０に示すように、ディスプレイ１３上に日時設定画面をＯＳＤ表示して、ユーザに日時の設定を促す（予約消去プログラムＰＲＧのステップＳ９）。このとき、ディスプレイ１３上には、開始日時と終了日時を設定するフィールドが表示される。
【００２７】
そこで、ユーザは、リモコン３の数字ボタン３０を押して開始日時（例えば、８月１７日２２時３０分）と終了日時（例えば、８月１８日２２時００分）を入力し、リモコン３の決定ボタン３１を押す。
【００２８】
すると、ＣＰＵ１０は、各番組予約の日時情報に基づき、ユーザが設定した日時（開始日時から終了日時までの期間で、例えば、８月１７日２２時３０分〜８月１８日２２時００分）に放送される番組予約を抽出して消去候補を選定する（予約消去プログラムＰＲＧのステップＳ１０）。次に、ＣＰＵ１０は、ＯＳＤコントローラ１１に対して、消去内容確認画面の表示を指令する。これを受けてＯＳＤコントローラ１１は、図１１に示すように、ディスプレイ１３上に消去内容確認画面をＯＳＤ表示し（予約消去プログラムＰＲＧのステップＳ１１）、ユーザに消去候補を取り消すか否かの決定を促す（予約消去プログラムＰＲＧのステップＳ１２）。このとき、ディスプレイ１３上の消去内容確認画面には、消去候補（例えば、『ニュース』、『アニメＢ』）のほか、「する」「しない」の２つの選択肢が表示される。
【００２９】
そして、消去候補を取り消す場合、ユーザは、リモコン３のカーソルボタン３２を押して「する」を選択し、リモコン３の決定ボタン３１を押す。すると、ＣＰＵ１０は、消去候補を一括消去する動作を実行する（予約消去プログラムＰＲＧのステップＳ８）。そのため、消去候補は、その件数の多寡とは無関係に一括して取り消される結果となる。ここで、予約消去プログラムＰＲＧに基づく番組予約消去処理が終了する。ここで、予約消去プログラムＰＲＧに基づく番組予約消去処理が終了する。
【００３０】
一方、消去候補を取り消さない場合、ユーザは、リモコン３のカーソルボタン３２を押して「しない」を選択し、リモコン３の決定ボタン３１を押す。すると、ＣＰＵ１０は、消去候補に列挙された番組予約を消去せずに残す。ここで、予約消去プログラムＰＲＧに基づく番組予約消去処理が終了する。
【００３１】
このように、ジャンル指定であれ、日時指定であれ、ユーザが取り消したい番組予約（消去候補）を一括して取り消すことができる。したがって、取り消したい番組予約の件数が多くても、ユーザの操作が煩わしくなる事態を防ぐことが可能となり、ユーザビリティーが向上する。また、消去候補を取り消す前に消去内容確認画面が表示されるので、ユーザは、消去内容を確認することが可能となり、残すべき番組予約がユーザの不注意でうっかり取り消されてしまう不都合を回避することができる。さらに、日時指定による予約取消方法は、ジャンル情報を持たない番組にも対応可能であるため、汎用性に優れる。
【００３２】
なお、上述の実施形態においては、ジャンル指定または日時指定によって消去候補を選定し、この消去候補を一括して取り消す場合について説明した。しかし、ジャンル指定または日時指定によって消去候補を選定した後、この消去候補について、番組予約を１件ごとに取り消す動作に移行することも可能である。
【００３３】
すなわち、この場合、ＯＳＤコントローラ１１は、図１２に示すように、ディスプレイ１３上の消去内容確認画面に、ジャンル指定または日時指定による消去候補（例えば、『アニメＡ』、『アニメＢ』、『バラエティーＡ』）をそれぞれチェックボックス付きで一覧表示するとともに、「実行」「しない」の２つの選択肢を表示する。したがって、ユーザは、リモコン３を適宜操作することにより、消去候補の中から最終的に取り消したい番組予約（例えば、『アニメＢ』）にチェックを入れ、その他の番組予約（例えば、『アニメＡ』、『バラエティーＡ』）のチェックを外した状態で、リモコン３のカーソルボタン３２を押して「実行」を選択し、リモコン３の決定ボタン３１を押す。すると、最終的に取り消したい番組予約以外の番組予約は消去候補から外されるので、ＣＰＵ１０は、チェックされた番組予約（例えば、『アニメＢ』）の取消動作を実行し、残りの番組予約（例えば、『アニメＡ』、『バラエティーＡ』）については、その取消動作を実行せずに残す。
【００３４】
したがって、ユーザは、消去内容を確認することができると同時に、消去したくない番組予約を消去候補から外すことができる。その結果、きめ細かい予約取消方法を提供することが可能となり、ユーザビリティーがますます向上する。
【００３５】
なお、上述の実施形態においては、予約抽出方法として、ジャンル指定および日時指定を例示して説明したが、これら以外の予約抽出方法（例えば、チャンネル指定、画質指定、録画データ容量指定、録画レート指定、録画時間指定など）を代用しても構わない。
【００３６】
なお、上述の実施形態においては、入力手段としてリモコン３を用いる場合について説明したが、リモコン３以外の入力手段（例えば、受像機本体２に設けられた操作ボタンなど）を代用してもよい。
【００３７】
なお、上述の実施形態においては、デジタルテレビジョン放送の番組予約を取り消す場合について説明したが、アナログテレビジョン放送、衛星デジタルテレビ放送、データ放送、デジタルラジオ放送などの番組予約を取り消す場合に本発明を適用することもできる。
【図面の簡単な説明】
【００３８】
【図１】本発明に係るテレビジョン受像機の一実施形態を示すブロック図である。
【図２】図１に示すリモコンの正面図である。
【図３】予約消去プログラムを示すフローチャートである。
【図４】本発明に係る予約取消方法におけるスタートメニュー（メインメニュー）画面を示す図である。
【図５】本発明に係る予約取消方法におけるスタートメニュー（サブメニュー）画面を示す図である。
【図６】本発明に係る予約取消方法における予約編集画面の第１例を示す図である。
【図７】本発明に係る予約取消方法におけるジャンル指定消去画面を示す図である。
【図８】本発明に係る予約取消方法におけるジャンル指定消去確認画面の一例を示す図である。
【図９】本発明に係る予約取消方法における予約編集画面の第２例を示す図である。
【図１０】本発明に係る予約取消方法における日時指定消去画面を示す図である。
【図１１】本発明に係る予約取消方法における日時指定消去確認画面を示す図である。
【図１２】本発明に係る予約取消方法におけるジャンル指定消去確認画面の別の例を示す図である。
【図１３】従来の予約取消方法におけるスタートメニュー（メインメニュー）画面を示す図である。
【図１４】従来の予約取消方法におけるスタートメニュー（サブメニュー）画面を示す図である。
【図１５】従来の予約取消方法における予約リスト画面の第１例を示す図である。
【図１６】従来の予約取消方法における予約変更画面を示す図である。
【図１７】従来の予約取消方法における予約消去確認画面を示す図である。
【図１８】従来の予約取消方法における予約リスト画面の第２例を示す図である。
【符号の説明】
【００３９】
１……テレビジョン受像機
２……受像機本体
３……リモコン
４……予約取消装置
５……アンテナ
６……チューナ
７……デマルチプレクサ
８……デコーダ
９……情報保持部
１０……ＣＰＵ（予約選定手段、予約消去手段）
１１……ＯＳＤコントローラ
１２……スピーカ
１３……ディスプレイ
【図１】
2007306118.tif 000003
【図２】
2007306118.tif 000004
【図３】
2007306118.tif 000005
【図４】
2007306118.tif 000006
【図５】
2007306118.tif 000007
【図６】
2007306118.tif 000008
【図７】
2007306118.tif 000009
【図８】
2007306118.tif 000010
【図９】
2007306118.tif 000011
【図１０】
2007306118.tif 000012
【図１１】
2007306118.tif 000013
【図１２】
2007306118.tif 000014
【図１３】
2007306118.tif 000015
【図１４】
2007306118.tif 000016
【図１５】
2007306118.tif 000017
【図１６】
2007306118.tif 000018
【図１７】
2007306118.tif 000019
【図１８】
2007306118.tif 000020